(57)【特許請求の範囲】
【請求項１】
４辺の対向する２辺が熱圧着によるシール線からなる第一封止部及び第二封止部と、残りの２辺中の１辺が折れ線、シール線からなる第三封止部と、残りの１辺が開口した袋状体から作成される包装体において、
前記袋状体の内部に包装対象物を収容した状態で、前記開口した辺を、両端の角同士を合わせて、前記第三封止部と略直交するように接合させて封止することで、前記第三封止部と略直交するような角度で第四封止部を形成し、前記第四封止部を共通底辺とする一対の第一及び第二の三角形と、前記第三封止部を共通底辺とする一対の第三及び第四の三角形を形成して、周方向に隣接する前記各三角形の斜辺同士が連結された四面体状の包装体とし、
前記包装体の、前記第三封止部の両端に、当該第三封止部と略斜交するように熱融着、補強部材からなる補強部を設け、
前記包装体の、開封ガイドの延長上にあって、前記第四封止部に位置するように切り欠き部、ミシン線、孔からなる開口容易部を設け、
前記第一および第二の三角形の垂線上に概略位置する前記第一および第二封止部の熱圧着シール線を開封ガイドとして、当該開封ガイドに沿って前記包装体を開封した際に、前記第三、第四の三角形を底面とし、前記第一，第二の三角形をそれぞれ分割した面を前記底面から立ち上がる側面とする舟形形状の容器を形成することを特徴とする包装体。
【請求項２】
前記包装体は、紫外線透過率が小さい材料で形成されたことを特徴とする請求項１に記載の包装体。
【請求項３】
前記包装体は、前記開封ガイドに沿って開封する際に、同時に開封される小袋又は隔壁によって画成された複数の室を前記包装体中に設けることを特徴とする請求項１又は請求項２に記載の包装体。
【請求項４】
４辺の対向する２辺が熱圧着によるシール線からなる第一封止部及び第二封止部と、残りの２辺中の１辺が折れ線、シール線からなる第三封止部と、残りの１辺が開口した袋状体から作成される包装体において、
前記袋状体の内部に包装対象物を収容した状態で、前記開口した辺を、両端の角同士を合わせて、前記第三封止部と略直交するように接合させて封止することで、前記第三封止部と略直交するような角度で第四封止部を形成し、前記第四封止部を共通底辺とする一対の第一及び第二の三角形と、前記第三封止部を共通底辺とする一対の第三及び第四の三角形を形成して、周方向に隣接する前記各三角形の斜辺同士が連結された四面体状の包装体とし、
前記第一および第二の三角形の垂線上に概略位置する前記第一および第二封止部の熱圧着シール線を開封ガイドとして、当該開封ガイドに沿って前記包装体を開封した際に、前記第三、第四の三角形を底面とし、前記第一，第二の三角形をそれぞれ分割した面を前記底面から立ち上がる側面とする舟形形状の容器を形成することを特徴とする包装体。
【発明の詳細な説明】
【技術分野】
【０００１】
本発明は、容易に開封することができ、しかも開封された後は舟形形状（皿形状）に展延され、内容物をその舟形容器に保持し、かつ容易に内容物を取り扱うことのできる包装体に関する。包装体を開封した後は舟形形状に展延され、その舟形形状のものが一種の食器（皿）としての機能をなし、皿に盛るような感覚で舟形に内容物保持し食することができ、包装としての機能と食器としての機能を併せ持つ包装体に関する。また、内容物は食品に限らず、玩具や雑貨であってもよい。
【背景技術】
【０００２】
多くの商品は四角形状の袋に包装されており、袋の一辺を開封することに、その内容物を取り出すことができる。開封された袋は、依然として四角形状をしており、内容物が消尽されるまでは、包装体としての機能を果たしている。他方、一辺の方向がその対辺の方向とが直交する四面体状の包装体は、いわゆるテトラ状包装体（商品名：テトラパック）として知られている。
【０００３】
包装体としては多くの特許出願がある。例えば、特開２００５−１３８８９９号公報には開口が容易にできる食品用包装袋が記載され、特開２０００−２６４３４８号公報には包装袋体の開封構造が記載されており、いずれも包装袋体の蓋と本体との封緘、開封を自在にするものである。これらは、内容物を比較的長期にわたって保存し、必要に応じて内容物を取り出すことを前提としており、そのために開閉が容易な構造をもつ包装体となっている。
【０００４】
一方、開封を容易にするものとしては、例えば、特開２０００−１５３８７１号公報には定幅裂取り性の背張り部付き管状包装材が記載され、特開９−３０５５９号公報には引き裂き性に優れた包装体が記載されている。これらは、開封すると内容物を取り出し、使用し、用済み後は包装体としての機能は最早持っておらず、処分される運命にあり、他の目的に使用されることがないものである。
【０００５】
【特許文献１】特開２００５−１３８８９９号公報
【特許文献２】特開２０００−２６４３４８号公報
【特許文献３】特開２０００−１５３８７１号公報
【特許文献４】特開９−３０５５９号公報
【０００６】
このように従来知られている包装体は、内容物を包装しておくという機能のみを有し、この機能の範囲で種々の追加的な作用を付加したものは存在するが、更に他の機能を併せ持つものは見当たらないのが現状である。
【発明の開示】
【発明が解決しようとする課題】
【０００７】
本発明は、このような状況の下でなされたもので、包装としての機能を持つとともに、開封後直ちに処分されるのではなく、更に一種の容器としての機能をもつ包装体を提供しようとするものである。
【課題を解決するための手段】
【０００８】
本発明の要旨は、４辺の対向する２辺が熱圧着によるシール線からなる第一封止部及び第二封止部であり、残りの２辺中の１辺が折れ線、シール線からなる第三封止部であり、残りの一辺が開口した袋状体から作成される包装体において、前記包装体の内部に包装対象物を収容した状態で、前記開口した辺を、両端の角同士を合わせて、前記第三封止部と略直交するように接合させて封止することで、前記第三封止部と略直交するような角度で第四封止部を形成し、前記第四封止部を共通底辺とする一対の第一及び第二の三角形と前記第三封止部を共通底辺とする一対の第三及び第四の三角形を形成して、周方向に隣接する前記各三角形斜辺の同士が連結された四面体状の包装体とし、前記第一の三角形上の第一封止部及び第二の三角形上の第二封止部の熱圧着によるシール線を開封ガイドとし、前記開封ガイドに沿って前記包装体を開封した際に舟形形状となることを
特徴とする包装体である。
【０００９】
そして、開封ガイドの封止部側に切り欠き部、ミシン線、孔などの開口容易部を設けることができる。また、該開封ガイドの開口容易部と反対側に熱融着、補強部材などによる補強部を設けることができる。そして、紫外線透過率が小さい材料から形成された包装体である。更に、前記包装体を開封ガイドに沿って開封する際に、同時に開封される小袋又は隔壁によって画成された複数の室を前記包装体中に設けることができる。
【００１０】
本発明の包装体は、開封ガイドに沿って四面体状の包装体を開封した際に、舟形形状に展延することができる特徴を有する。この展延された舟形は、容器としての機能を持つ。即ち、本発明の包装体は、包装としての機能の他に容器としての機能を併せ持つものである。
【００１１】
本発明の包装体を開封しやすいように、熱圧着によるシール線などの開封ガイドを設けている。また、開封を更に容易にするため、開封ガイドの封止部側に欠き部、ミシン線、孔などからなる開口容易部を設けている。更に、本発明の包装体を舟形に展延した場合、特に、舟形の中央を占めることになる開口部の対辺の両端隅部（開口容易部の反対側）を予め補強しておくのが好ましい。これは、舟形の形状を保持するためである。補強するには、開封ガイドの開口容易部と反対側の両端隅部に部分的に融着したり、補強部材を貼付したりすることができる。
【００１２】
本発明の包装体の内容物としては、原則としては何を入れてもよいが、食品を入れた場合には、開封した後の舟形に食品を保持して食することができる。また、この四面体状の包装体の中に、包装体を開封ガイドに沿って開封する際に、同時に開封されるように開封ガイドの一部を包装体と共有した又は包装体の開封ガイドの延長線上に載置した又は包装体の開封ガイドから分岐した開封用のガイドを備えた小袋又は隔壁によって画成された複数の室を設けて、包装体を開封することにより、その小袋や複数の室の内容物が出るようにしてもよい。
【発明の効果】
【００１３】
本発明の包装体は、封止した状態では四面体状の袋状の包装体となり、その包装体に設けられた開封ガイドに沿って包装体を開封した際に舟形形状となる包装体であり、包装体を開封した際には、舟形に展延可能な包装体である。本発明の包装体は、物品の包装機能のみならず、内容物を充填した包装体を開封した際には、包装体が舟形に展延し、展延して生じた舟形は内容物の容器として機能するものである。内容物が食品の場合は、舟形は一種の皿となりそこに食品を載せそこから食することができる。本発明の包装体は、単に包装としての機能のみならず内容物を保持ないし把持する容器としての機能を併せ持つものである。また、小袋や隔壁を設けて異なった内容物を入れて利用することもできる。
【発明を実施するための最良の形態】
【００１４】
以下に本発明を実施形態に基づいて説明する。しかし、これらに限定されるものではない。図１は、四角形状の包装袋を示している。辺ＡＢが開口し、他の辺は封止されている。通常は、Ａ−Ｂの開口部から内容物を投入し、その後Ａ−Ｂをシール封止して包装体とする。これに対して本発明は、Ａ−Ｂをそのまま封止するのではなく、角ＡとＢとを合わせて、辺Ａ−Ｂの方向と辺Ｃ−Ｄの方向が略直交するように接合し、この状態で封止する。これはいわゆるテトラ状の包装体として広く知られており、商品名としてテトラパックなどがある。例えば、辺Ａ−Ｃは第一封止部であり、辺Ｂ−Ｄは第二封止部であり、辺Ｃ−Ｄは第三封止部であり、辺Ｃ−Ｄに略直交した角度で封止する部分が第四封止部になる。本発明を四角形状の包装袋を中心に説明するが、袋の形状は四角形に限ることはなく、台形でもよい。
【００１５】
図１において、辺Ａ−Ｃ、辺Ｂ−Ｄは熱圧着によるシール線からなる第一封止部、第二封止部である。角Ａ、Ｂが上辺の両端隅部となる。また、第一封止部と第二封止部のシール線は開封ガイドになる。角Ａ、Ｂを合わせて接合、封止した部分に切り欠き部、ミシン線、孔などの開口容易部を設け、更に、角Ｃ，Ｄ周辺に熱融着、補強剤などによる補強部を設ける。
【００１６】
図２に示したように、辺Ａ−Ｂの方向と辺Ｃ−Ｄの方向が略直交するように、角Ａと角Ｂとを合わせて接合し開口部を封止する。この封止部は第四封止部となる。辺Ａ−Ｂの方向と辺Ｃ−Ｄの方向が略直交するように、角ＡとＢとを合わせて封止した状態では、辺Ａ−Ｂの中心点であるＨ、Ｈ’（対面側）が角となり、元の角Ａと元の角Ｂ（対面側）とが辺Ｈ−Ｈ’の中心点となる。この辺Ｈ−Ｈ’から下方の角Ｄに向かって帯１３を設け、帯１３の下部である辺Ｇ−Ｇ’をシール封止することもできる。図２において、Ｊは帯１３の下部の中間点であり、Ｊ’は対面側の帯１３の下部の中間点である。その結果、辺Ａ−Ｂは辺Ｃ−Ｄに対して略直交する状態になり、四面体状の包装体となる。即ち、第四封止部である辺Ｇ−Ｇ’を共通底辺とする一対の第一の三角形ＧＧ’Ｃ及び第二の三角形ＧＧ’Ｄを形成するとともに、第三封止部である辺Ｃ−Ｄを共通底辺とする一対の第三の三角形ＣＤＧ及び第四の三角形ＣＤＧ’を形成するとともに、周方向に隣接する各三角形斜辺同士が連結された四面体状の包装体となる。四面体状の包装体の斜視図を図３に示した。
【００１７】
図２（ａ）は、もとのＡＢＤＣの面側から見た図であり、図２（ｂ）は、もとのＡＢＣＤの面から９０度回転したところから見た図である。包装体は四面体構造をなしているので、外圧に抵抗力があり、包装袋を形成する材料として透明なものを使用すれば、内容物をよく見ることができる。
【００１８】
次に、辺Ｈ−Ｈ’の中心点となった元の角Ａ、Ｂにおいて、開封ガイドとなったＡ−Ｃ、Ｂ−Ｄに沿って開封し（引き裂い）てゆくと、図４に示したような舟形形状のものになる。舟形形状に展延されたものは、底の長さが２ｈで、高さ（深さ）が舟首、舟尾ではｔとなり、舟形の中央では舟形の広がりの程度により深さはｔよりも小さい舟形形状（皿形状）のものとなる。尚、ｈは図１に示したように包装袋の長さから帯１３の巾ｄを引いたもの、ｄは帯１３の巾、ｔは包装袋ＡＢＤＣの巾の二分の一の大きさである。帯１３の部分は、舟形の耳部となり舟形の形状保持に寄与するとともに、容器を把持するのに便利なものとなっている。ここに生じた舟形形状は、内容物をそのまま舟形の中に保持し、一種の容器としての機能を有している。この舟形は一種の食器、例えば、皿としての機能を有する。
【００１９】
舟形において、もとの袋ＡＢＤＣＤの角Ｃ、Ｄは舟形の上部中央に位置するようになる。この部分は、そのままだと舟形の形状が不安定になる要因になるので、Ｃ、Ｄ周辺の部分には予め補強をしておくのが好ましい。即ち、補強部１１、１２を設ける。具体的には、角Ｃ、Ｄ周辺に図２（ａ）に示しているように、補強部を設けるのである。補強部の具体的なものとしては、補強すべき部分のほぼ三角形の部分１１、１２を全面的に融着せしめてもよいし、三角形の斜辺部１６、１７のみを融着してもよい。また、補強部１１、１２に、シートやフィルムの補強材を貼付することもできる。
【００２０】
先に述べたように、元の形である四角形の袋において、Ｇ、Ｇ’に沿って封止した後、内容物を使用する際には、開封ガイドＡ−Ｃ、Ｂ−Ｄに沿って開封し（引き裂い）てゆく。包装袋ＡＢＤＣの辺Ａ−Ｃの第一封止部及び辺Ｂ−Ｄの第二封止部は熱圧着によるシール線からなり、これらが開封ガイドとなる。開封ガイドとなる辺Ａ−Ｃ及び辺Ｂ−Ｄは、開封し（引き裂き）易いように予め加工しておくのが好ましい。即ち、低温度で熱圧着シールして、開封し（引き裂け）やすくしておくのが好ましい。更に、開封ガイド辺Ａ−Ｃ及び辺Ｂ−Ｄに沿って容易に開封する（引き裂く）ことができるように、図５に示したように、辺Ｈ−Ｈ’の中央部に切り込み１４やその他ミシン線、孔などを設けておくのが好ましい。
【産業上の利用可能性】
【００２１】
本発明の包装体は、単に包装機能のみならず容器としての機能を併せ持つので、応用範囲が広くなり、包装体としての価値を一段と高め、産業界で広く使用されるものである。
【図面の簡単な説明】
【００２２】
【図１】通常の四角形状の包装袋を示す図である
【図２】本発明の包装形態を示す図である
【図３】本発明の包装体の実施形態を示す斜視図である
【図４】本発明の包装体を展延し舟形形状となる状態を示す図である
【図５】本発明の実施形態の他の例を示す図である
【符号の説明】
【００２３】
Ａ、Ｂ、Ｃ、Ｄ        包装袋の角を示す
Ｅ、Ｆ                包装袋の帯の端を示す
Ｇ、Ｇ’              包装袋の帯の下部の中間点を示す
Ｈ、Ｈ’              包装袋の帯の上部の中間点を示す
Ｋ                    包装袋の底辺の中間点を示す
ｈ                    包装袋の長さから帯の巾を引いたもの
ｄ                    帯の巾
ｔ                    包装袋の巾の二分の一
１１、１２            包装袋角の補強部
１３                  包装袋の帯
１４                  切り込み
１６、１７            斜面
【要約】
【課題】
本発明は、包装としての機能を持つとともに、開封後は一種の容器としての機能をもつ包装材を提供する。
【解決手段】
四辺の対向する２辺がそれぞれ折れ線、シール線、ミシン線などからなる第一封止部及び第二封止部であり、残りの二辺中の一辺が折れ線、シール線などからなる第三封止部であり、残りの一辺が開口した袋状体において、袋内部に包装対象物を収容した状態で、前記開口した辺を相互に接合させて前記第三封止部と略直交するように第四封止部を形成し、前記第四封止部を共通底辺とする一対の第一及び第二の三角形と前記第三封止部を共通底辺とする一対の第三及び第四の三角形を形成し、周方向に隣接する前記各三角形斜辺同士が連結された四面体状の包装体とし、前記第一封止部及び第第二封止部の折れ線、シール線、ミシン線などを開封ガイドとし、前記開封ガイドに沿って前記包装体を開封した際に舟形形状となる包装材である。
【選択図】  図４【図１】
0003997251.tif 000002
【図２】
0003997251.tif 000003
【図３】
0003997251.tif 000004
【図４】
0003997251.tif 000005
【図５】
0003997251.tif 000006